(57)【要約】  【課題】リモコンで風向板を動作させる操作により室内機の風向板を仮に動作させ、この風向板の位置（角度）を設定する場合において、風向板の識別のために風向板を仮に動作させ、この仮に動作させた風向板の中から希望する風向板を選択し、この風向板に対して希望する風向板の位置を設定した風向板以外の風向板について、仮に動作させる以前の風向板位置を再設定する操作が不要な空気調和機を提供する。  【解決手段】リモコンは、個別の風向板の位置を記憶した記憶部を備えており、風向キー操作により選択された風向板をスイングで動作させ、上キーの操作により位置が変更された場合、変更された風向板の位置をすでに記憶されている値に変えて記憶し、風向キー操作により風向板の選択操作の終了が指示された時、記憶している風向板の位置データを室内機へ送信し、室内機はこれに従って各風向板を制御する。【選択図】図４
2013113469.tif 000002
【特許請求の範囲】
【請求項１】
複数の吹出口と、前記複数の吹出口にそれぞれ配置された風向板とを備えた室内機と、個別の前記風向板の選択を行う選択操作と、選択された前記風向板の位置を個別に設定する位置設定操作とが可能なリモコンとを備えた空気調和機において、
前記空気調和機は、個別の前記風向板の位置を記憶する記憶部を備えており、同記憶部には前回の前記位置設定操作で設定された前記風向板の位置データが記憶されており、
前記リモコンは、前記選択操作により選択された前記風向板を仮に動作させて操作者に視認させる風向板識別動作の実行を前記室内機へ指示し、前記位置設定操作により指定された前記風向板の位置データをすでに記憶されている前記位置データに置き換えて記憶させ、
記憶された前記位置データに従って前記風向板の位置を制御するように前記室内機へ指示することを特徴とする空気調和機。
【請求項２】
前記リモコンは、選択された前記風向板に対する前記風向板識別動作を前記室内機が実行中に他の前記風向板を全閉状態にさせると共に、吹き出される風量を一時的に減少させる指示データを前記室内機へ送信することを特徴とする請求項１記載の空気調和機。
【発明の詳細な説明】
【技術分野】
【０００１】
本発明は、複数の吹出口にそれぞれ風向板を備えた空気調和機の室内機に係わり、より詳細には、対象とする風向板の位置（角度）を設定する風向設定操作が可能なリモコンを備えた空気調和機に関する。
【背景技術】
【０００２】
従来、天井埋込型空気調和機の室内機は一般的に矩形パネルの各辺と対応する位置にそれぞれ吹出口が備えられており、この４つの各吹出口にはそれぞれ独立したステッピングモータにより駆動される風向板が設けられている。このため、この風向板の向き（角度）を指定するリモコンには、４つの内の１つの風向板を選択する操作と、この選択された風向板に対して位置（方向）を設定する操作とができるようになっている。なお、以降の説明において、風向板の回動角度や向き、方向を風向板の『位置』と呼称する。
【０００３】
この４つの中の意図した風向板を選択する場合、リモコンで現在選択している風向板が実際の室内機のどの風向板と対応しているのかを確認してから行う必要があるが、この作業は室内機の取扱説明書の図と実際の室内機とを対比させてリモコンを操作する必要があるため操作性が悪かった。
【０００４】
この問題を改善して各吹出口や各風向板の識別ができる室内機が開示されている。この室内機のパネルには、室内空間に向けて空調された空気を吹き出すための複数の吹出口と、複数の吹出口にそれぞれ配置され、空気の送風方向を個別に変更可能な略同一形状の複数のフラップ（風向板）とを有し、複数の吹出口の近傍または複数のフラップに、互いに異なる標識部をそれぞれ形成している。そして、このフラップを操作するリモコンの表示部にも標識部と対応するマークが表示されており、フラップの対応付けができるようになっている。（例えば、特許文献１参照。）。
【０００５】
この標識部は室内機のパネル面やフラップに設けた印刷やシール、成形によるマーク、又は発光部から形成されているが、このパネル面は中央部分を盛り上げて、周辺部に吹出口を形成して天井面とできるだけ並行に送風可能なように設計する場合がある。
従って室内機の真下でないとパネル中央の盛り上がりによって識別部が認識できない場合がある。特に、天井埋込型空気調和機の室内機に用いられるワイヤードリモコンは壁に固定されており、この位置から室内機を見た時には識別部がパネル中央部分の盛り上がりで遮られ、視覚的に認識しにくいという問題があった。
さらに、運転中に風向板の位置を設定する場合、すでに風向板がスイング動作していたり、前回設定された風向板の位置に向いている場合がある。このため、この風向板に視界を遮られ、視覚的に認識しにくいという問題があった。
また、識別部を別途必要とするため、この部分がコストアップとなってしまう問題があった。
【０００６】
一方、このような標識部を用いないで、つまり、コストアップしないで、実際の風向板位置とリモコンで表示される風向板の位置との対応付けを行う場合、リモコンで風向板の選択操作を行い、この操作により動作する実際の風向板を目視で確認することが特許文献１の従来技術として記載されている。
前述したように標識部が風向板で遮られる場合、つまり、標識部よりも風向板が見える場合は、風向板を確認する方法の方が標識部を用いる場合よりもコストをかけないで同じ目的を達成できる。
しかしながら、実際に風向板の位置を設定する場合、風向板を認識するために行った試し操作により風向板の位置が変化してしまい、位置の変更が必要ない風向板に関して操作前の位置が不明になり、１つの風向板だけの位置設定操作を行う場合でも、再度、試し操作した全ての風向板について位置設定操作を行う必要が発生し、操作性が悪いという問題があった。
【先行技術文献】
【特許文献】
【０００７】
【特許文献１】特開２０１１−９４９２４号公報（第９−１１頁、図１）
【発明の概要】
【発明が解決しようとする課題】
【０００８】
本発明は以上述べた問題点を解決し、複数の風向板の位置をリモコンで個別に設定する場合、リモコンで風向板を動作させる操作により室内機の風向板を仮に動作させ、この仮に動作させている風向板とリモコンで表示される風向板との対比で現在操作している風向板を特定して、この風向板の位置を設定する場合において、風向板の識別のために風向板を仮に動作させ、この仮に動作させた風向板の中から希望する風向板を選択し、この風向板に対して希望する風向板の位置を設定した風向板以外の風向板について、仮に動作させる以前の風向板位置を再設定する操作が不要な空気調和機を提供することを目的とする。
【課題を解決するための手段】
【０００９】
本発明は上述の課題を解決するため、本発明の請求項１に記載の発明は、複数の吹出口と、前記複数の吹出口にそれぞれ配置された風向板とを備えた室内機と、個別の前記風向板の選択を行う選択操作と、選択された前記風向板の位置を個別に設定する位置設定操作とが可能なリモコンとを備えた空気調和機において、
前記空気調和機は、個別の前記風向板の位置を記憶する記憶部を備えており、同記憶部には前回の前記位置設定操作で設定された前記風向板の位置データが記憶されており、
前記リモコンは、前記選択操作により選択された前記風向板を仮に動作させて操作者に視認させる風向板識別動作の実行を前記室内機へ指示し、前記位置設定操作により指定された前記風向板の位置データをすでに記憶されている前記位置データに置き換えて記憶させ、
記憶された前記位置データに従って前記風向板の位置を制御するように前記室内機へ指示することを特徴とする。
【００１０】
本発明の請求項２に記載の発明は、前記リモコンは、選択された前記風向板に対する前記風向板識別動作を前記室内機が実行中に他の前記風向板を全閉状態にさせると共に、吹き出される風量を一時的に減少させる指示データを前記室内機へ送信することを特徴とする。
【発明の効果】
【００１１】
以上の手段を用いることにより、本発明による空気調和機によれば、
請求項１に係わる発明は、風向板の識別のために風向板を仮に動作させる時、新たに位置を変更した風向板以外の風向板の位置が自動的に風向板の位置設定操作前の状態に戻るため、これらの風向板の位置を再設定する操作が不要となり操作性を向上させることができる。
【００１２】
請求項２に係わる発明は、風向板識別動作を実行中の風向板以外の風向板は全閉状態であるため、風向板識別動作を実行中の風向板を視覚的に遮ることがなく、これを遠くから見ても容易に選択中の風向板を識別できる。さらに、風向板識別動作を実行中の風向板以外の風向板は全閉状態の時、吹き出される風量を一時的に減少させるため、風向板識別動作を実行中の風向板と対応する吹出口から、多量の空気が送風されることがない。
【図面の簡単な説明】
【００１３】
【図１】本発明による空気調和機の実施例を示す室内機とワイヤードリモコンとの説明図である。
【図２】本発明による空気調和機の実施例を示す室内機とワイヤードリモコンとのブロック図である。
【図３】本発明による他の実施例を説明する説明図である。
【図４】本発明による風向板の設定操作を説明する説明図である。
【図５】本発明によるワイヤードリモコンの処理を説明するフローチャートである。
【発明を実施するための形態】
【００１４】
以下、本発明の実施の形態を、添付図面に基づいた実施例として詳細に説明する。
本発明の特徴は風向設定操作において、風向板の位置を設定すべき風向板を複数の中から選択するため、ワイヤードリモコンで選択された風向板を１つだけ識別動作、例えばスイング動作を行わせ、選択された風向板への位置設定操作が終了した時、今回設定した風向板以外の風向板の位置を自動的に風向設定操作前の状態に戻すことにある。
【実施例１】
【００１５】
図１は本発明による空気調和機の実施例を示す説明図である。この空気調和機は図示しない室外機と、室内機１と、この室内機１に指示を出すワイヤードリモコン１２とで構成されている。
【００１６】
室内機１は天井面に配置されたパネル４を備えており、このパネル４の盛り上がった中央部分が室内機１の吸込口２であり、この吸込口２の外周にパネル４の４つの外辺と対応した長方形の４つの吹出口５が設けられており、この吹出口５にそれぞれ風向板３ａ〜風向板３ｄが回動自在に配置されている。各風向板には図示しないステッピングモータが接続されており、各々の風向板が単独で位置を任意に変更できるようになっている。
【００１７】
なお、パネル４の一角には風向板の識別の原点となる位置マーク３ｅが表記されており、各風向板はパネル４を正面から見てこの位置マーク３ｅから時計周り位置に風向板Ａ〜風向板Ｄとなっている。従って、風向板３ａ〜風向板３ｄが風向板Ａ〜風向板Ｄとなる。
【００１８】
一方、通信線１０で室内機１に接続されたワイヤードリモコン１２は、上部に表示部１２ｂと、下部に操作部１２ｃとが配置されている。
次に表示部１２ｂの表示内容について説明する。なおこの図は全ての表示項目を示しており、室内機１の運転状態に従って、これらの表示項目のうち、必要な表示項目だけが選択的に表示される。
【００１９】
表示部１２ｂには、エアコンを制御するために必要な設定温度を表示する２桁の数値表示部１２ｆと、複数の文字ブロックが表示できるようになっている。文字ブロックは各ブロック毎に表示の表示／非表示が可能であり、これが表示されているときに、文字ブロックで表される機能が有効であることを示す。文字ブロックは現在運転中のモードを示す『冷房』、『暖房』、『除湿』がある。また、風量の台形マークは風量の大きさを示しており、最大の大きさの時が最大の風量であることを示している。
【００２０】
この他に表示部１２ｂには、風向板選択表示エリア１２ｉと風向設定表示エリア１２ｈとが配置されている。風向板選択表示エリア１２ｉには４つの風向板３ａ〜風向板３ｄと対応する模式図が表示され、その周囲には風向板Ａ〜風向板Ｄの識別文字Ａ〜Ｄが表示されるようになっている。風向（風向板の位置）を設定する場合は、現在選択されている風向板と対応する識別文字が１つだけ表示される。なお、位置マーク３ｅと対応するドットも表示されている。
【００２１】
風向設定表示エリア１２ｈには『風向』の文字と風向を表す模式図が表示されており、４つの風向に対応する段階数字１〜４、及び『スイング』が表示されるようになっており、この４つの風向と『スイング』とのうち１つだけが指定されて表示されるようになっている。
【００２２】
一方、操作部１２ｃは、運転を開始／停止させる『電源』キー、冷房や暖房のモードを選択する『運転モード』キー、各種の設定を行う『設定』キーの他に、４つの風向板のうち１つを順次選択する風向キー１２ａと、選択された風向板の位置（角度）を段階的に設定する上キー１２ｄと下キー１２ｅとを備えている。
【００２３】
風向キー１２ａは１回押下するごとに風向板Ａ〜風向板Ｄをローテーションして選択できる。これに対応して風向板選択表示エリア１２ｉの表示も選択された風向板の段階数字又はスイングを表示する。ただし、風向板Ｄの次の選択は風向板Ａでなく、どの風向板も選択されない状態になる。これが風向の設定以外のキー操作も受け付ける通常モードであり、通常の運転はこの状態にしておく。また、風向板の段階数字又はスイングを表示している場合は風向設定操作のみを受け付ける風向設定モードである。
【００２４】
風向板の風向を設定する上キー１２ｄは、１回押下する毎に風向板の位置を１段階だけ上向きにさせる。段階は前述のように４段階あり、４段階からさらに上キー１２ｄを１回押下するとスイング動作の設定となる。下キー１２ｅはこの逆の操作であり、１回押下する毎に風向板の位置を１段階だけ下向きに移動させる。
【００２５】
図２は室内機１とワイヤードリモコン１２とを示すブロック図である。
室内機１は、図示しない赤外線リモコンから送信される赤外線信号を受信するリモコン受信部２１と、室内の温度を検出する室温検出部２５と、送風ファンモータ２３と、風向板を設定された位置（角度）に回動させる４つの風向板用ステッピングモータ２４ａ〜２４ｄと、通信線１１を介して室外機５０と通信を行う通信部２９と、通信線１０を介してワイヤードリモコン１２と通信を行う室内機通信部２７と、これらを制御する室内機制御部２６とを備えている。なお、風向板用ステッピングモータ２４ａ〜２４ｄは、風向板３ａ〜風向板３ｄ（風向板Ａ〜風向板Ｄ）を駆動するようになっている。
【００２６】
ワイヤードリモコン１２は、前述した各種のキー操作を入力する操作部１２ｃと、記憶部１２ｇと、表示部１２ｂと、室内機１と通信線１０を介して通信を行うリモコン通信部１２ｊと、これらを制御するリモコン制御部１２ｋとを備えている。
【００２７】
リモコン制御部１２ｋは、操作部１２ｃのキーが操作されるとこれを受け付けて操作されたキーと対応するデータを室内機１へ送信しており、室内機通信部２７を介してこれを受け付けた室内機制御部２６はこのデータに従って室内機１を制御する。また、表示部１２ｂは、操作されたキーと対応する情報、例えば温度設定操作なら設定された温度を、風量設定なら設定された風量を、風向設定なら設定された風向などを表示するようになっている。
なお、室内機制御部２６は、操作により指示された設定温度、運転モード、風向、風量、などの指示データを記憶部１２ｇへ記憶すると共に、室内機１へこの指示データを送信する。これを受信した室内機１はこの指示データに従って空調運転を実行する。
【００２８】
リモコン制御部１２ｋは、風向板の制御に関して、室内機１に対して個々の風向板毎にスイング動作、及び指定した風向板の位置を１〜４段階で指示できる。室内機制御部２６はこの指示を受け付けると、次に同じ風向板に対する指示があるまで前回指示された動作を継続するようになっている。従って、ワイヤードリモコン１２からスイングの指示が１回あれば、室内機１の室内機制御部２６はスイング動作を連続して行う。同様に、ワイヤードリモコン１２から該当する風向板に対して全閉の指示があれば、室内機制御部２６は対応する風向板を回動させて吹出口５を全閉とする。
【００２９】
図４は本発明による風向設定操作を説明する説明図である。この設定操作には大きく分けて２つの操作、つまり、風向板の選択操作と選択された風向板に対する位置設定操作とがある。
風向板の選択操作ではユーザーの操作により、ワイヤードリモコン１２で指示した風向板が実際のどの風向板であるかを目視して識別するため、１つの風向板を仮に動作させる風向板識別動作が行われる。
風向板の位置設定操作では、この風向板識別動作中の風向板についてユーザーの操作により設定された位置をワイヤードリモコン１２に表示させると共に、指定された位置を記憶する動作とが行われ、そして、風向設定操作の最後に記憶している位置に全ての風向板を回動させる動作が行われる。
【００３０】
図４において、『項』は風向設定操作の順番を、『キー操作』は操作部１２ｃで操作されたキーを、『風向板選択表示』は図１の風向板選択表示エリア１２ｉでの表示内容を、『風向設定表示』は図１の風向設定表示エリア１２ｈでの表示内容を、『実際の風向板位置』は室内機１の風向板Ａ〜Ｄの位置状態をそれぞれ示している。
【００３１】
『項』の１は風向設定する以前の風向板の位置状態を示しており、例えば風向板Ａは風向：１の位置に、風向板Ｂは風向：４の位置に、風向板Ｃは風向：１の位置に、風向板Ｄは風向：４の位置にそれぞれ設定されて角度に対応する位置データとして記憶部１２ｇに記憶されている。この状態から風向板Ｃを風向：１から風向：３の位置にする操作を順に説明する。
【００３２】
『項』２に示すように１回だけ風向キー１２ａを押下する。ここから『項』５までが風向設定操作になる。そして『風向板選択表示』に示すように、リモコン制御部１２ｋは、表示部１２ｂにＡ（風向板Ａ）を表示し、『風向設定表示』で示すように記憶部１２ｇに記憶していた風向：１を同様に表示させる。そして、リモコン制御部１２ｋは、風向板Ａのスイング動作開始の指示データと、風向板Ｂ〜Ｄを全閉にする指示データとを室内機１へ送信する。なお、この時、同時に室内機１に対して風量を風向設定操作以前の状態から１／４に減少させる指示データも送信する。
これを受け付けた室内機１では『実際の風向板位置』で示すように風向板Ａのみスイング動作を開始すると共に、その他の風向板を全閉状態にする。また、風量を風向設定操作以前の状態から１／４に減少させる。
【００３３】
次に『項』３で更にもう１回だけ風向キー１２ａが押下されると、『項』２で説明したと同じ手順で次の風向板Ｂが指定され、室内機１は風向板Ｂをスイング動作させると共に、その他の風向板を全閉にする。なお、『風向板選択表示』に示すようにリモコン制御部１２ｋは、表示部１２ｂにＢ（風向板Ｂ）を表示する。『風向設定表示』は『項』２で説明したように記憶部１２ｇに記憶していた風向：４を表示する。
【００３４】
次に『項』４で更にもう１回だけ風向キー１２ａが押下されると、『項』２で説明したと同じ手順で次の風向板Ｃが指定され、室内機１は風向板Ｃをスイング動作させると共に、その他の風向板を全閉にする。なお、『風向板選択表示』に示すようにリモコン制御部１２ｋは、表示部１２ｂにＣ（風向板Ｃ）を表示する。『風向設定表示』も『項』２と同様に表示される。
【００３５】
この状態で風向板位置を変更するため上キー１２ｄが押下されると、『風向設定表示』に示すようにリモコン制御部１２ｋは、風向：１から風向：２へ表示を変更し、同時に記憶部１２ｇに記憶している風向板Ｃの風向：１の位置データを風向：２に変更する。さらに、上キー１２ｄが押下されると、『風向設定表示』に示すようにリモコン制御部１２ｋは、風向：２から風向：３へ表示を変更し、同時に記憶部１２ｇに記憶している風向板Ｃの風向：２の位置データを風向：３に変更する。
【００３６】
次に『項』５で更にもう１回だけ風向キー１２ａが押下されると、『項』２で説明したと同じ手順で次の風向板Ｄが指定され、室内機１は風向板Ｄをスイング動作させると共に、その他の風向板を全閉にする。なお、『風向板選択表示』に示すようにリモコン制御部１２ｋは、表示部１２ｂにＤ（風向板Ｄ）を表示する。『風向設定表示』も『項』２と同様に表示される。
【００３７】
次に『項』６で更にもう１回だけ風向キー１２ａが押下されるとリモコン制御部１２ｋは、記憶部１２ｇに記憶していた各風向板毎の風向、つまり、風向板Ａは風向：１、風向板Ｂは風向：４、風向板Ｃは風向：３、風向板Ｄは風向：４の位置データを室内機１に送信し、これを受け付けた室内機１では指示された位置（角度）に各風向板を制御する。
【００３８】
図４で説明したように、ある風向板の位置を設定する場合、設定の順序として３つの状態がある。１つ目は今回の風向設定操作において、まだ選択が完了していない状態、２つ目は４つの風向板のうち１つを選択中の状態、３つ目は位置設定が完了した状態である。
【００３９】
このため、図３に示すように本発明ではこれら３つの状態を室内機１の風向板の動作で表現している。例えば本実施例では図３の例１を採用している。つまり、選択中の状態を風向板のスイング動作で、未選択の状態を風向板全閉状態で、設定済の状態を風向板全閉状態でそれぞれ表している。しかしながら、これらは一例であり、図３の例２に示すように選択中の状態を風向板全開（下向き）で表したり、図３の例３のように未選択の状態を設定前の元の風向で表したり、設定済の状態を今回設定した風向にしてもよい。
【００４０】
以上説明したように、風向板の識別のために風向板を仮に動作させる時、新たに位置を変更した風向板以外の風向板の位置が自動的に風向板の位置指定操作前の状態に戻るため、これらの風向板の位置を再設定する操作が不要となり操作性を向上させることができる。
【００４１】
また、風向板識別動作を実行中の風向板以外の風向板は全閉状態であるため、風向板識別動作を実行中の風向板を視覚的に遮ることがなく、これを遠くから見ても容易に選択中の風向板を識別できる。さらに、風向板識別動作を実行中の風向板以外の風向板は全閉状態の時、吹き出される風量を一時的に減少させるため、風向板識別動作を実行中の風向板と対応する吹出口から、多量の空気が送風されることがない。
【００４２】
また、図３において、例１以外の場合の各動作の効果として、未選択の状態を今回の風向設定操作前の元の風向板位置で表すことで前回の風向設定操作での風向板の位置を目視できる。また、設定済の状態を今回設定した位置で表すことで、今回設定した内容を目視で確認できる。
また、これに限らず、図３の例１〜例４の風向板の動作を選択中、未選択、設定済の状態で組み合わせて使用してもよい。
【００４３】
次に図５のフローチャートを用いてリモコン制御部１２ｋの動作を説明する。また、図５において、ＳＴはステップを表し、これに続く数字はステップ番号を示す。また、図５中の『Ｙ』はＹｅｓを、『Ｎ』はＮｏをそれぞれ示している。
【００４４】
まず最初にリモコン制御部１２ｋは操作部１２ｃを介してキー操作が有ったか確認する（ＳＴ１）。キー操作が無い場合はＳＴ１へジャンプする。キー操作が有った場合（ＳＴ１−Ｙ）、操作されたキーは風向キー１２ａか確認する（ＳＴ２）。
【００４５】
操作されたキーが風向キー１２ａの場合（ＳＴ２−Ｙ）、現在選択されている風向板と対応させて風向設定表示をＡ、Ｂ、Ｃ、Ｄと順に表示する（ＳＴ３）。現在選択されている風向板を認識するために風向板指定カウンタの値を記憶部１２ｇに記憶している。風向キー１２ａが押下される毎にこの風向板指定カウンタの値を０からカウントアップし、この値が５になったら風向指定が一巡したことになる。つまり、この値の１〜４が風向板Ａ〜風向板Ｄに対応している。また、風向板指定カウンタの値が５になったら、次の操作までに初期値である０にする。
なお、風向設定操作に入った時、つまり、風向板指定カウンタの値が０から１になった時に、室内機１へ風量を元の風量から１／４にする指示データを送信する。
【００４６】
次に現在選択されている風向板を区別する値を記憶する（ＳＴ４）。つまり、風向板指定カウンタの値を記憶部１２ｇに記憶する。そして、風向キーは５回押下済みか確認する（ＳＴ５）。これは風向板指定カウンタの値を確認することになる。風向キーが５回押下済みでない場合（ＳＴ５−Ｎ）、現在選択中の風向板をスイングさせる指示データと、選択された風向板以外の他の風向板を全閉とする指示データとを室内機１へ送信する（ＳＴ６）。そしてＳＴ１へジャンプする。
【００４７】
一方、風向キーが５回押下済みの場合（ＳＴ５−Ｙ）、風向板の選択が一巡したことになるため、記憶部１２ｇに記憶している各風向板と対応する位置データを指示データとして室内機１へ送信する（ＳＴ７）。なお、同時に記憶している元の風量、つまり風向設定操作へ入る前の風量値を指示データとして室内機１へ送信する。次に風向板の選択及び設定の段階番号の１〜４、及びスイングの表示を全て消去して表示する（ＳＴ８）。これは風向設定操作から抜けたことを報知するためである。そしてＳＴ１へジャンプする。
【００４８】
操作されたキーが風向キー１２ａでない場合（ＳＴ２−Ｎ）、風向キー１２ａは少なくとも１回押下されているか確認する（ＳＴ９１）。これは前述した風向板指定カウンタが０以外の値になっているかで判定できる。この風向板指定カウンタが０の時は風向キー１２ａが押されていない状態、つまり、風向設定操作に入っていない状態である。
【００４９】
風向キー１２ａは少なくとも１回押下されていない場合（ＳＴ９１−Ｎ）、風向設定操作と無関係なその他のキーであるため、操作されたキーを受け付けて処理する（ＳＴ１１）。そしてＳＴ１へジャンプする。
風向キー１２ａが少なくとも１回押下されている場合（ＳＴ９１−Ｙ）、操作されたキーは上キー１２ｄか確認する（ＳＴ９）。操作されたキーが上キー１２ｄでない場合（ＳＴ９−Ｎ）、操作されたキーは下キー１２ｅか確認する（ＳＴ１０）。操作されたキーが下キー１２ｅでない場合（ＳＴ１０−Ｎ）、風向設定操作と無関係なキーであるため無視してＳＴ１へジャンプする。
【００５０】
一方、操作されたキーが下キー１２ｅの場合（ＳＴ１０−Ｙ）、風向設定表示において、風向を１段階下降させて表示する（ＳＴ１３）。次に現在選択中の風向板における変更された位置データを記憶部１２ｇに記憶する（ＳＴ１４）。そしてＳＴ１へジャンプする。
【００５１】
位置データは記憶部１２ｇに各風向板毎に１〜５の風向カウンタ値として記憶される。この値の１〜４が風向の１〜４に対応しており、風向カウンタ値が５の場合はスイングの指定を示している。この風向カウンタ値は上キー１２ｄが押下される毎にカウントアップされ、下キー１２ｅが押下される毎にカウントダウンされる。
【００５２】
一方、操作されたキーが上キー１２ｄの場合（ＳＴ９−Ｙ）、風向設定表示において、風向を１段階上昇させて表示する（ＳＴ１２）。そしてＳＴ１４へジャンプする。
【００５３】
なお、本実施例では、リモコンとしてワイヤードリモコンを用いた例で説明しているが、これに限らず、赤外線リモコンや電波を用いた無線リモコンであってもよい。
【００５４】
また、本実施例ではワイヤードリモコン側で風向板の位置を記憶しているが、これに限らず、室内機１側で風向板の位置を記憶し、ワイヤードリモコン側からは位置設定操作による一時的な位置変更の指示データのみ送信し、室内機１はこの指示に従って位置の記憶内容は変更せずに指示された位置に風向板を制御する。そして、ワイヤードリモコン側から変更された風向板の位置データを受信した時、室内機１はこの受信した風向データを記憶していた風向データに置き換えて記憶し、ワイヤードリモコンから風向設定操作の終了の指示を受けた時に記憶していた風向板の位置に風向板の角度を制御するようにしてもよい。
【符号の説明】
【００５５】
１  室内機
２  吸込口
３ａ、３ｂ、３ｃ、３ｄ  風向板
３ｅ  位置マーク
４  パネル
５  吹出口
１０  通信線
１１  通信線
１２  ワイヤードリモコン
１２ａ  風向キー
１２ｂ  表示部
１２ｃ  操作部
１２ｄ  上キー
１２ｅ  下キー
１２ｆ  数値表示部
１２ｇ  記憶部
１２ｈ  風向設定表示エリア
１２ｉ  風向板選択表示エリア
１２ｊ  リモコン通信部
１２ｋ  リモコン制御部
２１  リモコン受信部
２３  送風ファンモータ
２４ａ、２４ｂ、２４ｃ、２４ｄ  風向板用ステッピングモータ
２５  室温検出部
２６  室内機制御部
２７  室内機通信部
２９  通信部
５０  室外機
【図１】
2013113469.tif 000003
【図２】
2013113469.tif 000004
【図３】
2013113469.tif 000005
【図４】
2013113469.tif 000006
【図５】
2013113469.tif 000007